(57)【特許請求の範囲】
【請求項１】
露光することにより屈折率の変化が可能な２光子吸収化合物を有する記録層と、前記記録層の一方側に隣接する第１隣接層と、前記記録層の他方側に隣接する第２隣接層とを備えた光記録媒体の記録方法であって、
前記記録層のうち、前記第１隣接層との第１の界面に隣接する領域に集光したレーザ光を照射して当該隣接領域のみの屈折率を変化させ、前記第１の界面の反射率の変化を利用してピットを形成し前記記録層内における１層目に情報を記録する工程と、
前記記録層のうち、前記第２隣接層との第２の界面に隣接する領域に集光したレーザ光を照射して当該隣接領域のみの屈折率を変化させ、前記第２の界面の反射率の変化を利用してピットを形成し前記記録層内における２層目に情報を記録する工程と、
を有することを特徴とする光記録媒体の記録方法。
【請求項２】
前記光記録媒体は、複数層の前記記録層と、各記録層を挟む中間層とを有し、当該中間層が、前記第１隣接層または前記第２隣接層であることを特徴とする請求項１に記載の光記録媒体の記録方法。
【請求項３】
露光することにより屈折率の変化が可能な２光子吸収化合物を有する記録層と、前記記録層の一方側に隣接する第１隣接層と、前記記録層の他方側に隣接する第２隣接層とを備え、情報が記録された光記録媒体の製造方法であって、
前記記録層のうち、前記第１隣接層との第１の界面に隣接する領域に集光したレーザ光を照射して当該隣接領域のみの屈折率を変化させ、前記第１の界面の反射率の変化を利用してピットを形成し前記記録層内における１層目に情報を記録する工程と、
前記記録層のうち、前記第２隣接層との第２の界面に隣接する領域に集光したレーザ光を照射して当該隣接領域のみの屈折率を変化させ、前記第２の界面の反射率の変化を利用してピットを形成し前記記録層内における２層目に情報を記録する工程と、
を有することを特徴とする情報が記録された記録媒体の製造方法。
【請求項４】
露光することにより屈折率の変化が可能な２光子吸収化合物を有する記録層と、前記記録層の一方側に隣接する第１隣接層と、前記記録層の他方側に隣接する第２隣接層とを備えた光記録媒体の記録装置であって、
レーザ光を発するレーザ光源と、前記レーザ光源が発するレーザ光を集光する光学系と、前記光学系を動かして前記レーザ光のフォーカス位置を調整するフォーカスアクチュエータと、前記レーザ光および前記光記録媒体の少なくとも一方を相対的に移動させることで、前記光記録媒体に対する前記レーザ光の照射位置を移動させる走査装置と、前記走査装置およびフォーカスアクチュエータを制御する制御装置とを備え、
前記制御装置は、
前記走査装置およびフォーカスアクチュエータを制御して、前記記録層のうち、前記第１隣接層との第１の界面に隣接する領域に集光したレーザ光を照射して当該隣接領域のみの屈折率を変化させ、前記第１の界面の反射率の変化を利用してピットを形成し前記記録層内における１層目に情報を記録し、前記記録層のうち、前記第２隣接層との第２の界面に隣接する領域に集光したレーザ光を照射して当該隣接領域のみの屈折率を変化させ、前記第２の界面の反射率の変化を利用してピットを形成し前記記録層内における２層目に情報を記録することを特徴とする記録装置。
【請求項５】
前記制御装置は、前記走査装置および前記フォーカスアクチュエータを制御して、情報が未記録の領域における前記第１の界面または前記第２の界面にレーザ光をフォーカシングし、当該界面に隣接する領域の層に情報を記録することを特徴とする請求項４に記載の光記録媒体の記録装置。
【発明の詳細な説明】
【技術分野】
【０００１】
本発明は、光記録媒体の記録方法、情報が記録された記録媒体の製造方法および光記録媒体の記録装置に関する。
【背景技術】
【０００２】
ＤＶＤ−Ｒ、Ｂｌｕ−ｒａｙ（登録商標）ディスクなどの光記録媒体は、記録容量を増大させるため、２層に情報を記録する方式が採られている。近年では、さらに多くの層に記録をするため、２光子吸収化合物を用いた記録方法が研究されている。
【０００３】
２光子吸収化合物は、同時に２つの光子が入ったときに限り光を吸収して電子が励起される化合物である。そのため、２光子吸収化合物は、光の強度の２乗に比例して反応が起こり、深さ方向の位置選択性が高いという特性を有する。より具体的には、レーザ光を収束させて照射した場合、２光子吸収化合物は焦点近傍のみにおいて光を吸収し、深さ方向（光軸方向）に離れた位置では反応が起こらない。そのため、２光子吸収化合物は深さ方向の狭い領域に反応を起こすことができ、この化合物からなる記録層は多層の記録に適しているのである。
【０００４】
従来の２光子吸収化合物を用いた多層記録型の光記録媒体では、記録層同士の間に中間層を設けている。例えば、記録層の厚さは０．０１〜０．５μｍ、中間層の厚さは０．１〜５μｍとしていた（特許文献１）。中間層の厚さは、層間クロストークが生じない程度の十分な厚さをとっており、記録層の厚さは、記録層と中間層の間の界面の反射強度で、十分な変調が得られるような厚さとしていた。この界面の反射について詳しく説明すると、未記録の状態においては、記録層の下（記録または再生のためのレーザ光が入射してくる側を上とする）側の界面での反射光と、上側の界面での反射光との光路差を利用し、この２つの反射光が干渉して弱め合うように設定することにより反射光を弱めておく。そして、記録後は記録層の屈折率を変えることで、記録層の下側からの反射光の光路長を変え、上側の界面で反射した光と下側の界面で反射した光との干渉の結果、未記録の場合よりも強い光が帰るようにしていた。
【０００５】
そのため、従来は、上側界面の反射光と下側界面の反射光との干渉の程度が調整可能な程度の、ナノメートルレベルの薄い記録層が用いられていた。
【０００６】
【特許文献１】特開２００８−０７４７０８号公報
【発明の開示】
【発明が解決しようとする課題】
【０００７】
しかし、上記のような光記録媒体は、１つの記録層に１層しか情報を記録できないため、多層記録のために記録したい層数分の記録層が必要で、製造工数が多くなるという問題があった。
【０００８】
本発明は、上述の背景に鑑みなされたもので、１つの記録層内により多くの層の記録を行って、光記録媒体の製造工程を簡略化可能とすることを目的とする。
【課題を解決するための手段】
【０００９】
前記した課題を解決する本発明は、露光することにより屈折率の変化が可能な２光子吸収化合物を有する記録層と、前記記録層の一方側に隣接する第１隣接層と、前記記録層の他方側に隣接する第２隣接層とを備えた光記録媒体の記録方法であって、前記記録層のうち、前記第１隣接層との第１の界面に隣接する領域に集光したレーザ光を照射して当該隣接領域のみの屈折率を変化させ、前記第１の界面の反射率の変化を利用してピットを形成し前記記録層内における１層目に情報を記録する工程と、前記記録層のうち、前記第２隣接層との第２の界面に隣接する領域に集光したレーザ光を照射して当該隣接領域のみの屈折率を変化させ、前記第２の界面の反射率の変化を利用してピットを形成し前記記録層内における２層目に情報を記録する工程とを有することを特徴とする。
【００１０】
このような方法によれば、記録層と第１隣接層との間の第１の界面の反射率の変化を利用して１層目の情報の記録ができるとともに、記録層と第２隣接層との間の第２の界面の反射率の変化を利用して２層目の情報の記録ができる。すなわち、１つの記録層に２層の記録ができるので、従来の２光子吸収化合物を利用した記録媒体と比較すると、同じ情報記録層数（ここでは、隣接する層と物質的に区別された「記録層」の数ではなく、情報を記録した部分の層数の意味である。以下、この意味でいう場合の層を「情報記録層」とする。）のために、半分の数の記録層があればよい。したがって、光記録媒体の製造工程を簡略化することが可能である。
【００１１】
そして、上記の方法では、前記光記録媒体は、複数層の前記記録層と、各記録層を挟む中間層とを有し、当該中間層が、前記第１隣接層または前記第２隣接層であるような構成であってよい。すなわち、複数の記録層がある場合であってもよい。
【００１２】
このような方法で記録される光記録媒体は、露光することにより屈折率の変化が可能な２光子吸収化合物を有する複数の記録層と、前記複数の記録層のそれぞれを挟む中間層と、前記記録層および前記中間層を支持する基板とを備え、前記記録層の厚みは、２光子吸収反応が起こる範囲の大きさよりも大きく、前記記録層のうち、隣接する前記中間層との界面に隣接する領域のみの屈折率が露光により変化されることで、前記中間層と前記記録層の界面の屈折率差に起因した反射率の変化が引き起こされ、１つの記録層内で２層に情報が記録されることを特徴とする。
【００１３】
すなわち、従来の２光子吸収化合物を用いた多層記録の光記録媒体では、記録層が、２光子吸収反応が起こる範囲の大きさより小さい厚さの記録層が設けられていたが、本発明の記録媒体では、１層の記録層内に２層の情報を記録するため、記録層の厚さを、２光子吸収反応が起こる範囲の大きさよりも大きくしている。
【００１４】
このような媒体において、できるだけ多くの数の記録層を設けるため、記録層と中間層とは、ともに、層間クロストークを発生させない範囲で薄いのがよく、そのため、両層は、同等の厚みにするのがよい。例えば、前記記録層の厚みは、前記中間層の厚みの０．５〜２倍であるのが望ましい。
記録層の厚さは、層間クロストークが起こらないようにするため、１μｍ以上であり、深さ方向の記録密度を向上させるため、２０μｍ以下であるのが望ましい。
【００１５】
前記した課題を解決する本発明は、前記した方法を用いた、情報を記録した記録媒体の製造方法を提供する。すなわち、露光することにより屈折率の変化が可能な２光子吸収化合物を有する記録層と、前記記録層の一方側に隣接する第１隣接層と、前記記録層の他方側に隣接する第２隣接層とを備え、情報が記録された光記録媒体の製造方法であって、前記記録層のうち、前記第１隣接層との第１の界面に隣接する領域に集光したレーザ光を照射して当該隣接領域のみの屈折率を変化させ、前記第１の界面の反射率の変化を利用してピットを形成し前記記録層内における１層目に情報を記録する工程と、前記記録層のうち、前記第２隣接層との第２の界面に隣接する領域に集光したレーザ光を照射して当該隣接領域のみの屈折率を変化させ、前記第２の界面の反射率の変化を利用してピットを形成し前記記録層内における２層目に情報を記録する工程と、を有することを特徴とする。
【００１６】
また、前記した課題を解決する本発明の装置は、露光することにより屈折率の変化が可能な２光子吸収化合物を有する記録層と、前記記録層の一方側に隣接する第１隣接層と、前記記録層の他方側に隣接する第２隣接層とを備えた光記録媒体の記録装置であって、レーザ光を発するレーザ光源と、前記レーザ光源が発するレーザ光を集光する光学系と、前記光学系を動かして前記レーザ光のフォーカス位置を調整するフォーカスアクチュエータと、前記レーザ光および前記光記録媒体の少なくとも一方を相対的に移動させることで、前記光記録媒体に対する前記レーザ光の照射位置を移動させる走査装置と、前記走査装置およびフォーカスアクチュエータを制御する制御装置とを備え、前記制御装置は、前記走査装置およびフォーカスアクチュエータを制御して、前記記録層のうち、前記第１隣接層との第１の界面に隣接する領域に集光したレーザ光を照射して当該隣接領域のみの屈折率を変化させ、前記第１の界面の反射率の変化を利用してピットを形成し前記記録層内における１層目に情報を記録し、前記記録層のうち、前記第２隣接層との第２の界面に隣接する領域に集光したレーザ光を照射して当該隣接領域のみの屈折率を変化させ、前記第２の界面の反射率の変化を利用してピットを形成し前記記録層内における２層目に情報を記録することを特徴とする。
【００１７】
このような製造方法および装置によれば、前記した記録方法と同様に、１つの記録層に２層の記録ができるので、従来の２光子吸収化合物を利用した記録媒体と比較すると、同じ情報記録層数のために、半分の数の記録層があればよい。したがって、光記録媒体の製造工程を簡略化することが可能である。
【００１８】
そして、このような装置においては、前記制御装置は、前記走査装置および前記フォーカスアクチュエータを制御して、情報が未記録の領域における前記第１の界面または前記第２の界面にレーザ光をフォーカシングし、当該界面に隣接する領域の層に情報を記録することが望ましい。
【００１９】
このように情報が未記録の領域でフォーカシングを行うことにより、反射光の光量が安定するので安定したフォーカシングを行うことが可能である。なお、ここでいう情報が未記録の領域というのは、記録することができるが、未だ記録していない領域と、その記録媒体の仕様としてそもそも記録する予定のない、いわば非記録領域の両方を意味する。
【発明の効果】
【００２０】
上述したように、本発明の光記録媒体の記録方法、光記録媒体、情報が記録された記録媒体の製造方および光記録媒体の記録装置によれば、光記録媒体の１つの記録層で２層に情報を記録できるため、従来の２光子吸収化合物を利用した光記録媒体よりも光記録媒体の層数を少なくし、製造工程を簡略化することが可能である。
【発明を実施するための最良の形態】
【００２１】
次に、本発明の実施形態に係る光記録ディスクの記録装置およびこれを利用した記録方法（製造方法）について説明する。参照する図において、図１は、実施形態に係る光記録ディスクの記録装置（以下、「光記録ディスクドライブ」という）の概略構成を示す図であり、図２は、光記録ディスクの拡大断面図であり、図３は、光ピックアップの拡大図であり、図４は、制御装置のブロック図であり、図５は、光記録ディスクに記録されるピットの位置を説明する光記録ディスクの拡大断面図である。
【００２２】
図１に示すように、光記録ディスクドライブ１は、コンピュータ（ＰＣ）などから入力された情報（データ）を光記録ディスク１０に光学的に記録する装置であり、主として、光記録ディスク１０を支持するスピンドル３１、スピンドル３１を回転させるモータ３２、光ピックアップ２０、光ピックアップ２０が光記録ディスク１０の径方向に移動するのを案内するガイド３３および制御装置１００を備えてなる。
【００２３】
図２に示すように、光記録媒体の一例としての光記録ディスク１０は、基板１１の上に、複数の中間層１２を有し、各中間層１２の間に記録層１３が挟まれるようにして設けられている。そして、一番上の中間層１２の上には、カバー層１４が設けられている。
【００２４】
基板１１は、中間層１２および記録層１３を支持するための板であり、樹脂板、ガラス板、金属板または半導体板などからなる。
【００２５】
中間層１２は、第１隣接層および第２隣接層の一例であり、記録層１３の間隔を保持するとともに、記録層１３に隣接することで、記録層１３との界面を形成して、当該界面での光の反射を可能にするものである。
【００２６】
中間層１２の厚さは、１つの中間層１２の上下にある情報記録層１５，１６の間で層間クロストークが起こらない程度の十分な大きさを有する。この観点からは、中間層１２の厚さは、例えば、１μｍ以上であり、望ましくは５μｍ以上であり、さらに望ましくは１０μｍ以上である。また、中間層１２の厚みの増大は媒体全体の厚み増加を招き、層を多くする際の制限要因であることから、この観点からは、中間層１２の厚さは、２０μｍ以下であり、より望ましくは１０μｍ以下であり、さらに望ましくは５μｍ以下である。
【００２７】
記録層１３は、２光子吸収化合物を含む層である。２光子吸収化合物とは、同時に、厳密には極めて短い時間間隔内に２つの光子が入ったときに限り電子が励起して光を吸収する化合物である。本発明のように光記録媒体として用いる場合、この電子の励起エネルギーを利用して化学反応を起こさせ、これにより光（再生光に用いる光）の屈折率および吸収率などを変調させることが可能な化合物を用いる。２光子吸収化合物としては、例えばジアリルエテンを用いることができる。
【００２８】
記録層１３の厚さは、図５に示すように、１つの記録層１３の上側の中間層１２との界面（第１の界面）に隣接する領域に記録される情報記録層１５と、下側の中間層１２との界面（第２の界面）に隣接する領域に記録される情報記録層１６との間で層間クロストークが起こらない程度の十分な大きさを有する。つまり、記録層１３の厚さは、２光子吸収反応が起こる範囲の大きさよりも大きい。この観点からは、記録層１３の厚さは、例えば、１μｍ以上であり、望ましくは５μｍ以上であり、さらに望ましくは１０μｍ以上である。また、記録層１３の厚みの増大は媒体全体の厚み増加を招き、層を多くする際の制限要因であることから、この観点からは、記録層１３の厚さは、２０μｍ以下であり、より望ましくは１０μｍ以下であり、さらに望ましくは５μｍ以下である。
【００２９】
カバー層１４は、中間層１２および記録層１３を保護する層であり、記録時および再生時のレーザ光を透過可能であれば、材質は問わない。例えば、樹脂やガラスを用いることができる。さらに、記録層１３が一光子吸収反応を生じる短波光を選択的に遮断できる材質であれば、自然光による記録層１３の変質を防止することができる。
【００３０】
光記録ディスク１０は、上記の各層以外に、反射防止膜や短波光の遮断膜など他の層を別途設けてあっても構わない。
【００３１】
一方、図３に示すように、光ピックアップ２０は、鏡筒２１に、レーザ光源としてのレーザ２２、ビームスプリッタ２３、コリメートレンズ２４、シャッタ２５、対物レンズ２７、第１受光器２８および第２受光器２９が設けられてなる。
【００３２】
レーザ２２は、間欠的に発光するパルスレーザであり、望ましくは、２光子吸収反応を効率的に起こすために、極めて短い時間内に強いレーザ光を発するフェムト秒レーザ光源を用いるのがよい。なお、レーザ２２は、連続発振のレーザでもよく、レーザ発振の媒体は、記録層１３の２光子吸収反応を起こすことができる限り、特に限定されない。
【００３３】
ビームスプリッタ２３は、ハーフミラーなどからなり、レーザ２２が発するパルスレーザ光の光路の下流側に配置されている。ビームスプリッタ２３は、レーザ２２から発したレーザの一部を第１受光器２８に分岐させ、また、光記録ディスク１０から戻ってきた光の一部を第２受光器２９に分岐させる。
【００３４】
コリメートレンズ２４は、ビームスプリッタ２３に対しレーザ２２が発するパルスレーザ光の光路の下流側に配置され、パルスレーザ光を平行光束に変換するレンズである。
【００３５】
シャッタ２５は、パルスレーザ光を通過（オン）または遮断（オフ）させる素子であり、偏向素子２５ａと、開口２５ｃを有するシャッタ板２５ｂとを備えてなる。シャッタ２５は、コリメートレンズ２４に対し、レーザ２２が発するパルスレーザ光の光路の下流側に配置されている。シャッタ２５は、高速動作をさせるため、メカニカルでない光スイッチを用いるとよい。偏向素子２５ａは、電気光学変調素子（ＥＯＭ）からなり、入力された信号に応じて屈折率が変化するものである。偏向素子２５ａに信号を入力しないときには、パルスレーザ光は開口２５ｃを通過し、信号を入力したときには、パルスレーザ光が曲がることで、シャッタ板２５ｂによりパルスレーザ光が遮断される。
【００３６】
対物レンズ２７は、シャッタ２５に対し、レーザ２２が発するパルスレーザ光の光路の下流側に配置されている。対物レンズ２７は、パルスレーザ光を集光して、記録層１３においてパルスレーザ光が焦点を結ぶように機能する。なお、対物レンズ２７は、図示しないフォーカスコイル４１（図４参照）で位置が移動される。これにより、パルスレーザ光のフォーカスが制御される。
【００３７】
第１受光器２８は、ビームスプリッタ２３で分岐されたパルスレーザ光が入射され、この光を受光するものである。受光した信号は、制御装置１００に入力される。
【００３８】
第２受光器２９は、光記録ディスク１０から反射し、さらにビームスプリッタ２３で分岐された光をシリンドリカルレンズ２９ａを介して受光するものである。受光した信号は制御装置１００に入力される。
【００３９】
上述のような光ピックアップ２０は、走査装置の一例としての公知のアクチュエータ３５により、ガイド３３に沿って、つまり、光記録ディスク１０の径方向に沿って移動が可能となっている。
【００４０】
図４に示すように、制御装置１００は、記録すべきデータが入力され、第１受光器２８および第２受光器２９から入力された信号に基づいて、レーザ２２、シャッタ２５、アクチュエータ３５、モータ３２、フォーカスコイル４１を制御する装置であり、変調回路１１０、同期信号発生回路１１５、発光駆動手段１２０、シャッタ駆動手段１３０、光ピックアップ移動手段１４５、回転駆動手段１５０、フォーカス演算手段１６０、フォーカス駆動手段１６１および記憶部１９０を備える。各手段は、専用の回路により構成されるか、ＣＰＵ，ＲＯＭ，ＲＡＭなどを備えるコンピュータにプログラムを実行させることにより実現される。
【００４１】
変調回路１１０は、変調手段の一例であり、記録すべきデータをピットの配置を示すデジタルデータ（以下、「ピット配列データ」とする。）に変調する回路である。変調回路１１０としては、例えば公知のＥＦＭ変調回路などを用いることができる。
【００４２】
同期信号発生回路１１５は、第１受光器２８が受光した光の強度信号が入力され、この信号と同じタイミング（周波数）で同期信号を発生する回路である。この信号は、シャッタ駆動手段１３０、光ピックアップ移動手段１４５、回転駆動手段１５０の動作の同期に用いられる。なお、同期信号発生回路１１５で発生する同期信号は、必ずしも第１受光器２８からの受光の信号に基づく必要はない。
【００４３】
発光駆動手段１２０は、レーザ２２を発光させる駆動信号をレーザ２２に出力する公知の手段である。
【００４４】
シャッタ駆動手段１３０は、変調回路１１０から入力されたピット配列データにしたがって、シャッタ２５を駆動する手段である。シャッタ駆動手段１３０は、レーザ２２が発するパルス光を適宜間引くことで、一定周期で発光するパルスレーザ光をピット配列データに対応するパターンで明滅するパルス光に変換する。この間引いた後のパルス光は、複数のパルス光を一つのピットに対応させるとよい。これにより、ピットの長さを複数種類形成することができる。なお、シャッタ駆動手段１３０の動作は、同期信号にしたがって動作タイミングが決定される。
【００４５】
光ピックアップ移動手段１４５は、公知の光記録ディスクドライブと同様に、光記録ディスク１０上に螺旋状に記録トラックを形成するように、所定速度でアクチュエータ３５を駆動する。これにより、光ピックアップ２０は、光記録ディスク１０の内径側から外径側へ、また、外径側から内径側へ、順次移動させられる。なお、光ピックアップ移動手段１４５には、同期信号発生回路１１５から同期信号が入力され、光ピックアップ２０の移動速度は、この同期信号にしたがって調整される。
【００４６】
回転駆動手段１５０は、モータ３２を駆動して、光記録ディスク１０を回転駆動する公知の手段である。回転駆動手段１５０は、同期信号発生回路１１５から同期信号が入力され、この同期信号にしたがって回転速度が調整される。
この回転速度は、パルスレーザ光の一定周期で続いて発光するパルス光が、光記録ディスク１０の周方向に重なって照射される程度の速度に設定されるのが望ましい。これにより、前記したように連続して発光するパルス光の数によりピットの長さを調整できる。すなわち、複数種類の長さのピットを形成することができる。
【００４７】
フォーカス演算手段１６０は、第２受光器２９から受光の信号が入力され、対物レンズ２７のフォーカス制御量を演算する手段である。フォーカス演算手段１６０は、例えば、公知の非点収差法などにより、フォーカスの制御量を演算する。また、フォーカス演算手段１６０は、現在記録している情報記録層の位置を決定、記憶して、当該情報記録層の位置に合わせてフォーカスの制御量を決定する。演算結果は、フォーカス駆動手段１６１に出力される。
【００４８】
フォーカス駆動手段１６１は、フォーカス演算手段１６０で演算されたフォーカス制御量に従い、フォーカスコイル４１に信号を出力する手段である。
【００４９】
なお、フォーカス演算手段１６０は、情報記録層１５，１６の間で焦点の位置を移動する場合などに、データが未記録の領域、例えば、光記録ディスク１０の内径側縁部または外径側縁部に予め設定してあるデータ記録範囲外の領域に移動した位置でフォーカスの制御量を演算するように構成される。すなわち、制御装置１００は、光ピックアップ移動手段１４５により、情報が未記録の領域に光ピックアップ２０を移動させ、フォーカス演算手段１６０により、記録層１３と中間層１２との界面にレーザ光にフォーカシングする。その後、所定の記録領域に光ピックアップ２０を移動させ、記録層１３のうち、中間層１２との界面に隣接する領域の層に情報を記録する。
【００５０】
記憶部１９０は、制御装置１００で行う演算の際に、適宜データを記憶する部分である。例えば、変調回路１１０での変調時の演算データや、現在記録中の情報記録層１５，１６の位置、フォーカスしている情報記録層１５，１６の位置などが記憶される。
【００５１】
以上のように構成された光記録ディスクドライブ１の動作について説明する。
コンピュータ（ＰＣ）などから制御装置１００に入力されたデータは、変調回路１１０により、ピット配列データに変調される。
そして、回転駆動手段１５０は、モータ３２を所定の回転速度で回転させて、光記録ディスク１０を回転させる。
【００５２】
制御装置１００は、記録を開始する前に、記録位置へ光ピックアップ２０を移動させ、光ピックアップ２０でレーザ光を照射すべき（フォーカシングする）情報記録層にフォーカスを合わせる。そのため、例えば、アクチュエータ３５を駆動して光ピックアップ２０を内径側の未記録位置に移動させ、これから記録すべき情報記録層へのフォーカシングを行う。一例の方法としては、最上方の記録層１３と中間層１２の界面にフォーカスを合わせ、その後、フォーカス位置を徐々に深くしていきながら、第２受光器２９で明るさの変化を検出して界面の数をカウントしていく。そして、このカウントが記録すべき層に相当したら、フォーカス駆動手段１６１によりフォーカスコイル４１に流す電流を微調整して、記録すべき情報記録層の位置へフォーカスを調整する。次に、アクチュエータ３５を駆動して光ピックアップ２０を光記録ディスク１０の径方向に移動させて、情報記録層内における記録位置に対応する位置へ光ピックアップ２０を移動させる。
【００５３】
光ピックアップ２０を記録位置に対応する位置へ移動させたら、発光駆動手段１２０は、レーザ２２を駆動し、レーザ２２からは、間欠的なパルスレーザ光が出射される。シャッタ駆動手段１３０は、変調回路１１０が生成したピット配列データにしたがってシャッタ２５を作動させる。これにより、ピット配列データにしたがって、パルスレーザ光が記録層１３の情報記録層に照射され、その照射された部分で２光子吸収反応が起こって、屈折率が変化する。
【００５４】
このようにして、例えば、図５におけるピットＰ１のように、記録層１３における下側の中間層１２との界面に隣接する領域（情報記録層１６）のみにおいて屈折率が変化した記録領域が形成される。
【００５５】
この情報記録層１６での記録が、光記録ディスク１０の全面において完了した後は、フォーカス演算手段１６０およびフォーカス駆動手段１６１により、一つ上の情報記録層１５にフォーカスを移動させ、前記した過程と同様に、ピット配列データにしたがってシャッタ２５を駆動して、情報を記録する。これにより、記録層１３における上側の中間層１２との界面に隣接する領域（情報記録層１５）のみにおいて屈折率が変化し、ピットＰ２が形成される。
【００５６】
このような記録方法により、情報の記録、再生が可能であることについて次に説明する。
物質の界面に光が垂直に入射した場合における反射率Ｒは、一方の物質（例えば、記録層１３）の屈折率をｎ１、もう一方の物質（例えば、中間層１２）の屈折率をｎ２とすると、Ｒ＝（ｎ１−ｎ２）２／（ｎ１＋ｎ２）２で与えられる。
ここで、記録層１３の未記録時の屈折率を１．７、記録後の屈折率を１．８とし、中間層１２の屈折率を１．４７とすると、記録前においては、反射率Ｒは０．５３％であり、記録後の反射率Ｒは１．１％となる。なお、この値は、情報記録層１５，１６のいずれでも同じである。
つまり、記録後は、反射率Ｒが記録前のおよそ２倍になるので、本実施形態のように、一つの界面における反射率Ｒの変化でも情報の記録が可能である。
【００５７】
以上のようにして、本実施形態の光記録ディスクドライブ１による記録方法によれば、一つの記録層１３内に、上側の中間層１２との界面に隣接する情報記録層１５および下側の中間層１２との界面に隣接する情報記録層１６の２つの情報記録層に情報が記録される。すなわち、１つの記録層１３に２層の情報記録が可能であるため、従来と同じ数の情報記録層を設けるのであれば、記録層１３の数を少なくできるので、光記録ディスク１０の製造を簡略化することが可能となる。
【００５８】
また、本実施形態のように、他の情報記録層へのフォーカス移動時に、情報が未記録の領域でフォーカシングを行うことにより、所定の情報記録層へフォーカスをより確実に合わせることができる。
【００５９】
以上に本発明の実施形態について説明したが、本発明の趣旨に反しない限り、本発明を適宜変形して実施することが可能であることはいうまでもない。
【００６０】
例えば、前記実施形態では、光記録媒体の一例として光記録ディスクを例示したが、光記録媒体は、必ずしもディスク形状である必要はなく、四角いカード型の媒体であってもよい。
また、走査装置の一例として、光ピックアップ２０を光記録ディスク１０の径方向へ移動させるアクチュエータ３５を例示したが、レーザ光と光記録媒体の少なくとも一方を相対的に移動させることによりレーザ光を光記録媒体の記録範囲の全部に照射できればよいので、例えば、レーザ光を偏向させることにより走査を行ってもよい。
【００６１】
前記実施形態においては、第１隣接層および第２隣接層を共に同じ材質からなる中間層１２を想定していたが、第１隣接層と第２隣接層は必ずしも同じ必要はなく、異なっていてもよい。例えば、最も上側の記録層１３の上の層を直接、カバー層１４にしてもよい。
【図面の簡単な説明】
【００６２】
【図１】実施形態に係る光記録ディスクの記録装置の概略構成を示す図である。
【図２】光記録ディスクの拡大断面図である。
【図３】光ピックアップの拡大図である。
【図４】制御装置のブロック図である。
【図５】光記録ディスクに記録されるピットの位置を説明する光記録ディスクの拡大断面図である。
【符号の説明】
【００６３】
１      光記録ディスクドライブ
１０    光記録ディスク
１１    基板
１２    中間層
１３    記録層
１４    カバー層
１５    情報記録層
１６    情報記録層
２０    光ピックアップ
２２    レーザ
２５    シャッタ
３２    モータ
３５    アクチュエータ
４１    フォーカスコイル
１００  制御装置
【図１】
0004950120.tif 000002
【図２】
0004950120.tif 000003
【図３】
0004950120.tif 000004
【図４】
0004950120.tif 000005
【図５】
0004950120.tif 000006